(57)【要約】      （修正有）【課題】様々なゴルフボールの高さを選択してティーアップすることができ、また、安価に製造でき、さらに、ズボンのポケットの中に入れても嵩張らないティーセッターを提供する。【解決手段】上端にゴルフボールの載置面２１を有するとともに、下端が尖鋭な形状とされたゴルフ用のティー２を地面に突き刺し設置する際に、載置面２１の地面からの高さを所定の高さに設定するティーセッター１であって、ティー２の載置面２１側が挿入可能な内径を有する深さの異なる複数本のティー挿入孔１２が設けられたことを特徴とする。【選択図】図２
0003117542.tif 000002
【実用新案登録請求の範囲】
【請求項１】
上端にゴルフボールの載置面を有するとともに、下端が尖鋭な形状とされたゴルフ用のティーを地面に突き刺し設置する際に、前記載置面の地面からの高さを所定の高さに設定するティーセッターであって、
前記ティーの載置面側が挿入可能な内径を有する深さの異なる複数本のティー挿入孔が設けられたことを特徴とするティーセッター。
【請求項２】
前記ティー挿入孔の深さの違いを示す目印を有することを特徴とする請求項１に記載のティーセッター。
【請求項３】
全体形状が略球形状とされたことを特徴とする請求項１または２に記載のティーセッター。
【考案の詳細な説明】
【技術分野】
【０００１】
本考案は、ゴルフ場のティーグランドにおいて、ティーアップされるゴルフボールの高さ位置を選択可能なティーセッターに関する。
【背景技術】
【０００２】
ゴルフのティーショットでは、ゴルフボールを地面よりも少し高い位置に保持する、いわゆるティーアップが行われており、そのためにティーが用いられる。このティーは、上端にゴルフボールの載置面を有するとともに、下端が尖鋭な形状とされたものであり、ゴルファーはこのティーの下部を地面に突き刺してティーを固定し、載置面にゴルフボールを載せて使用する。
【０００３】
このようにゴルフボールをティーアップすることで、ゴルファーはドライバーショットをする際に、ドライバーヘッドのスイートスポットにゴルフボールを当てやすくなるので、打球の飛距離を延ばすことができる。また、ティーの地面への埋設量を調節して、ティーアップされたゴルフボールの高さ位置の微調整を行うことで、ティーショット時の風速、風向き、温湿度等の気象状況やコース状況に応じて、打球の球筋を変化させるといったことも行われている。
【０００４】
このように、ゴルフボールの高さ位置の違いによって、ティーショットした打球の球筋や飛距離が繊細に変化するにもかかわらず、ゴルファーはゴルフボールの高さ位置を正確に測定することなく、手を使って目測でティーを地面に突き刺して設置していた。そのため、目測でティーアップされたゴルフボールは高さ位置に微妙なずれが生じ、そのずれがティーショットの失敗を引き起こすということがあった。
【０００５】
そこで、ゴルフボールの高さ調節を正確に行うためのティーが特許文献１に提案されている。このティーは、弾性体リングが上下動可能に取り付けられており、ティーの下部を地面に突き刺した際に、弾性体リングが地面に当接することで、適切なティーの埋設量を判断することができるといったものである。
【０００６】
また、ゴルフボールの高さ位置の調整を容易に行うためのティーの高さ調整具が特許文献２に提案されている。この高さ調整具は、ティーを取り付けた後、高さ調整具から突出したティーの長さを調整し、高さ調整具から突出したティー下部を地面に突き刺すことで、ティーの載置面を地面から所定の高さにすることができるというものである。
【特許文献１】特開２００４−３４４２５０号公報
【特許文献２】実登３０３３９７４号公報
【考案の開示】
【考案が解決しようとする課題】
【０００７】
しかしながら、特許文献１に示されるティーは、弾性体リングが小さいにもかかわらず、弾性体リングが地面に当接したのを手の感触で確かめなければならず、これを正確に察知するのが困難であった。従って、弾性体リングが地面に当接するのを正確に確認するためには、横方向から目視しなければならず、これは煩瑣な作業であった。
【０００８】
また、特許文献２に示される高さ調整具は、複数の部材から構成されているため、製造コストがかかってしまうという問題があった。また、この高さ調整具は、ゴルフボールなどと比べると、大きく、角張った形状をしているため、ズボンのポケットの中に収納すると嵩張ってしまうという問題があった。
【０００９】
本考案は係る実情に鑑みてなされたもので、その目的は、様々なゴルフボールの高さを選択してティーアップすることができ、また、安価に製造でき、さらに、ズボンのポケットの中に入れても嵩張らないティーセッターを提供することにある。
【課題を解決するための手段】
【００１０】
上記課題を解決するため、本考案のティーセッターは、上端にゴルフボールの載置面を有するとともに、下端が尖鋭な形状とされたゴルフ用のティーを地面に突き刺し設置する際に、前記載置面の地面からの高さを所定の高さに設定するティーセッターであって、前記ティーの載置面側が挿入可能な内径を有する深さの異なる複数本のティー挿入孔が設けられたことを特徴とする。
【００１１】
このような本考案によると、ティーセッター本体にティー挿入孔が開口されたものであるから、ティー挿入孔内にティーを載置面から挿入して、ティーの突出部分を地面に突き刺すことで、ティーの地面への差し込み深さが、必然的に、ティー挿入孔の深さとティーの長さの差となり、ティーを地面に所定の高さで設置することが容易となる。
【００１２】
また、ティー挿入孔がそれぞれ異なる深さで複数開口されているから、ティー挿入孔を任意に選択することで、様々なゴルフボールの高さ位置を得ることができる。
【００１３】
また、このティーセッターは、１つの部材に孔を開口した構造であるため、材料コストおよび製造コストを安価にすることができる。
【００１４】
また、このティーセッターは、大きさと形状とをあまり制限することなく作製することができるので、ズボンのポケットの中に入れても嵩張らないような大きさと形状にすることができる。
【００１５】
また、ティーセッターは、ティー挿入孔の深さの違いを示す目印を有するものであってもよい。
【００１６】
この場合、ティーセッター本体に、ティー挿入孔の深さを識別できる目印を設けているため、ティー挿入孔を選択する際に、深さを間違えることがない。
【００１７】
また、全体形状が略球形状とされたものであってもよい。
【００１８】
この場合、全体形状が略球形状とされているので、ズボンのポケットの中に収納しても邪魔にならない。
【００１９】
また、このティーセッターは、ゴルフボールを手に包みティーアップするといった従来のティーアップ方法と同じ動作で、ティーを地面に容易に設置することができる。
【考案の効果】
【００２０】
本考案のティーセッターは、様々なゴルフボールの高さを選択してティーアップすることができ、また、安価に製造でき、さらに、ズボンのポケットの中に入れても嵩張らないといった効果を奏する。
【考案を実施するための最良の形態】
【００２１】
以下、本考案の実施の形態について、図面を参照して説明する。
【００２２】
図１および図２は、本考案のティーセッターの一実施形態を示す斜視図および説明図である。
【００２３】
本考案のティーセッター１は、ティーセッター本体１１に、複数本のティー挿入孔１２が設けられている。
【００２４】
上記ティーセッター本体１１としては、材料を特に限定するものではなく、例えば、熱可塑性樹脂や熱硬化性樹脂などの合成樹脂、硬質ゴム、および木などがあげられる。ティーセッター本体１１の形状は、図１および図２において略球形状としているが、特にこれに限定するものではなく、例えば、図３に示すような円柱形状、図４に示すような多面体形状、図５に示すような棒状、または、図６に示すような円盤状のものなどであってもよい。ティーセッター本体１１の大きさは、特に限定するものではなく、例えば、ズボンのポケットに入れても邪魔にならない程度の大きさで、且つ、後述するティー挿入孔１２を複数開口できる程度の大きさにするとよい。具体的には、直径４２．６７ｍｍのゴルフボールよりも多少大きい球形状とするのが望ましく、それにより、ズボンのポケットの中に入れても嵩張らず、また、ティー挿入孔１２を６ヶ所開口することができる。
【００２５】
上記ティー挿入孔１２は、ティー２を挿入して、突出部分を地面に突き刺して埋設させるためのものであり、それぞれ異なる深さのものが複数開口されている。
【００２６】
ティー挿入孔１２の開口位置や開口数は、特に限定するものではなく、例えば、図１および図２に示すように、球形状の外周面に対して均等な位置に６ヶ所開口されたものなどがあげられる。ティー挿入孔１２の深さは、ティー２を挿入した際にティー２が突出するように、少なくともティー２の長さより浅くされており、また、地面に設置した際のティー２の載置面２１の高さを選択可能にするために、それぞれのティー挿入孔１２は異なる深さに開口されている。ティー挿入孔１２の内径は、ティー２が挿入できるように、ティー２の最大外径よりもやや大きくされている。
【００２７】
ティー挿入孔１２の開口方法は、特に限定するものではなく、例えば、ティーセッター本体１１に穿孔する方法、ティー挿入孔１２とティーセッター本体１１とを一体成型する方法、また、中空にしたティーセッター本体１１に別部材としたティー挿入孔１２を嵌合させる方法などがあげられる。
【００２８】
また、ティー挿入孔１２は、挿入されたティー２が地面に略垂直に突き刺さるように開口されなければならない。ティー２が地面に略垂直に刺さっていない場合、ティー２の載置面２１に載せられるゴルフボールが、載置面２１から転げ落ちてしまうためである。
【００２９】
なお、ティーセッター本体１１には、ティー挿入孔１２のそれぞれの深さを識別するために、それぞれのティー挿入孔１２に対応する目印１３を設けてもよい。目印１３としては、特に限定するものではなく、例えば、図１に示すようなアルファベットなどの文字、数字、記号、実際の深さ寸法の表示、および着色による識別などがあげられる。目印１３の表記方法としては、特に限定するものではなく、例えば、ティーセッター本体１１の表面に印刷してもよく、また、刻印してもよい。
【００３０】
次に、本考案におけるティーセッター１の使用方法について、図２を用いて詳述する。
【００３１】
まず、必要な高さが得られるようなティー挿入孔１２を、目印１３で識別して選択した後、選択されたティー挿入孔１２に、ティー２を載置面２１から挿入する。
【００３２】
次に、ティーセッター本体１１を掌で包むようにして握るとともにティー挿入孔１２から突出しているティー２の下部を２本の指で挟んでティー２の載置面２１をティー挿入孔１２の奥端に当接させたまま、ティー２の下部を地面に突き刺し、さらにティーセッター本体１１の表面が地面に当接するまで押圧する。
【００３３】
最後に、ティーセッター１を上方に持ち上げながらティー２から取り外すことにより、ティー２の載置面２１が地面から所定の高さとなって設置される。
【図面の簡単な説明】
【００３４】
【図１】本考案におけるティーセッターを示す斜視図である。
【図２】本考案におけるティーセッターの使用方法を示す説明図である。
【図３】本考案の他の実施形態におけるティーセッターを示す斜視図である。
【図４】本考案の他の実施形態におけるティーセッターを示す斜視図である。
【図５】本考案の他の実施形態におけるティーセッターを示す斜視図である。
【図６】本考案の他の実施形態におけるティーセッターを示す斜視図である。
【符号の説明】
【００３５】
１        ティーセッター
１１      ティーセッター本体
１２      ティー挿入孔
１３      目印
２        ティー
２１      載置面
【図１】
0003117542.tif 000003
【図２】
0003117542.tif 000004
【図３】
0003117542.tif 000005
【図４】
0003117542.tif 000006
【図５】
0003117542.tif 000007
【図６】
0003117542.tif 000008